(57)【要約】【課題】照明器具を天井に取り付ける作業の利便性や安全性を高める。【解決手段】天井２に取付けられる照明器具１であって、外面が天井２と対向する向きで同天井２に取付けられる器具本体４と、器具本体４の内面に設けられ、蛍光ランプ５を保持可能なランプホルダー９と、器具本体４の内面に設けられた把持部１１と、器具本体４に着脱可能であって、装着時に、少なくともランプホルダー９、該ホルダー９に保持されている蛍光ランプ５および把持部１１を覆うことが可能なグローブ７とを有する。【選択図】図１
2008091087.tif 000002
【特許請求の範囲】
【請求項１】
天井に取付けられる照明器具であって、
外面が天井と対向する向きで同天井に取付けられる器具本体と、
前記器具本体の内面に設けられ、蛍光管を保持可能なホルダーと、
前記器具本体の内面に設けられた把持部と、
前記器具本体に着脱可能であって、装着時に、少なくとも前記ホルダー、該ホルダーに保持されている蛍光管および前記把持部を覆うことが可能なカバーと、
を有することを特徴とする照明器具。
【請求項２】
前記器具本体の中央に、前記天井に固定された取付け装置が備える係止部が係止および係止解除可能な係止受部が設けられ、前記把持部は、前記係止受部を跨いで設けられていることを特徴とする請求項１記載の照明器具。
【請求項３】
前記器具本体に、前記天井に固定された取付け装置が備える係止部が係止および係止解除可能な係止受部が設けられ、前記係止受部の外側に前記把持部が２以上設けられていることを特徴とする請求項１記載の照明器具。
【発明の詳細な説明】
【技術分野】
【０００１】
本発明は、天井に取り付けられる照明器具に関するものである。
【背景技術】
【０００２】
従来、天井に設けられた係止具（ローゼット）に固定・固定解除が可能な照明器具（天井直付けタイプ）として、器具本体と、器具本体に装着された蛍光ランプと、蛍光ランプから発せられた光を反射する反射板と、上記蛍光ランプおよび反射板を覆うカバー（グローブ）とを有する照明器具が知られている。この種の照明器具では、蛍光ランプを点灯させるための電力は、ローゼットを介して不図示の点灯回路に供給され、点灯回路から各蛍光ランプへ供給される。
【０００３】
上記構成を有する従来の照明器具は、例えば、天井に設けられた係止具（ローゼット）に、取付け装置を介して固定される。例えば、取付け装置には、バネによって互いに離間する方向に常時付勢されている一対の係止爪が設けられている。一方、器具本体には、一対の係止爪の先端間の距離よりも径の小さな取付け穴が設けられている。そして、取付け穴の縁を係止爪の下面に当接させた状態で、器具本体を天井に向けて押し上げると、係止爪がバネの付勢に抗して互いに近接する方向に変位する。さらに器具本体を天井に向けて押し上げると、係止爪の先端間の距離が取付け穴の径よりも短くなり、係止爪の先端が取付け穴の縁を越え、係止爪が取付け穴の内側（床面側）に進入する。取付け穴の縁を越えた係止爪は、バネの付勢によって元の位置に変位（復帰）する。すると、係止爪の上面が取付け穴の周囲に係止し、器具本体が取付け装置に固定される。
【特許文献１】特開平１０−１６２６３１号公報
【発明の開示】
【発明が解決しようとする課題】
【０００４】
従来には、次のような課題があった。すなわち、照明器具を天井に取り付ける際には、脚立や踏み台などの台に乗る必要がある一方、器具本体の重さやサイズの関係から器具本体を片手で持つことは難しい。よって、取付け作業は、両手をふさがれた状態での高所作業とならざるを得ず、作業中にバランスを崩し、器具本体を落として破損させてしまう危険性があった。また、器具本体には、これといった掴みどころがないので、器具本体の内面（天井と対向する面とは反対側の面）を手の平に載せた状態で保持したり、内面側に向けて僅かに屈曲した器具本体の縁を指先で摘んで保持したりしなければならず、作業性が悪く、取付け穴と係止爪との位置合わせも困難であった。また、かかる作業性の悪さは、作業中に器具本体を落下させてしまう危険性を助長していた。加えて、一般的な器具本体の直径は、人間の肩幅よりも大きい。このため、器具本体の縁を摘んで該器具本体を保持する場合には、両腕をＹの字に広げる必要があり、器具本体の中心部を保持する場合に比べて、足場をより高くする必要があり、さらなる高所作業を強いられていた。
【０００５】
本発明の目的は、上記課題を解決し、照明器具の取付け作業の利便性や安全性を高めることである。
【課題を解決するための手段】
【０００６】
本発明の照明器具の一つは、天井に取付けられる照明器具であって、外面が天井と対向する向きで同天井に取付けられる器具本体と、前記器具本体の内面に設けられ、蛍光管を保持可能なホルダーと、前記器具本体の内面に設けられた把持部と、前記器具本体に着脱可能であって、装着時に、少なくとも前記ホルダー、該ホルダーに保持されている蛍光管および前記把持部を覆うことが可能なカバーとを有することを特徴とする。
【０００７】
本発明の照明器具の他の一つでは、前記器具本体の中央に、前記天井に固定された取付け装置が備える係止部が係止および係止解除可能な係止受部が設けられ、前記把持部は、前記係止受部を跨いで設けられている。
【０００８】
本発明の照明器具の他の一つでは、前記器具本体に、前記天井に固定された取付け装置が備える係止部が係止および係止解除可能な係止受部が設けられ、前記係止受部の外側に前記把持部が２以上設けられている。
【発明の効果】
【０００９】
本発明の照明器具では、器具本体に把持部が設けられているので、照明器具の取付け作業の利便性や安全性が向上する。
【発明を実施するための最良の形態】
【００１０】
（実施形態１）
以下、本発明の照明器具の実施形態の一例について図面を参照しながら詳細に説明する。図１は、本例の照明器具１の構造概略を示す模式的側面図、図２は、模式的平面図である。
【００１１】
本例の照明器具１は、天井２に設けられた係止具（ローゼット３）に固定・固定解除が可能な天井直付けタイプの照明器具である。図１および図２に図示されているように、本例の照明器具１は、器具本体４と、器具本体４に装着された円形の蛍光ランプ５と、蛍光ランプ５から発せられた光を反射する反射板６と、蛍光ランプ５と、反射板６を覆うカバー（グローブ７）とを有する。
【００１２】
器具本体４は、略円盤形の外形を有し、外面が天井２と対向する向きで天井２に取り付けられる。器具本体４の中央には、内外面に貫通する取付け穴８が開設されると共に、内面には、複数のランプホルダー９が設けられており、蛍光ランプ５は、このランプホルダー９によって器具本体４に取り付けられている。本例の照明器具１には、径の異なる２つの蛍光ランプ５が同心円上に装着されている。尚、取付け穴８が設けられている器具本体４の中央とは、厳密な意味での中央（中心）を意味するものではく、略中央を含む概念である。
【００１３】
蛍光ランプ５を点灯させるための電力は、ローゼット３を介して不図示の点灯回路に供給され、点灯回路から各蛍光ランプ５へ供給される。より具体的には、器具本体４の内面には、複数のランプソケット１０が設けられており、各蛍光ランプ５は対応するランプソケット１０に接続される。点灯回路は、各ランプソケット１０に電力を供給し、供給された電力は、ランプソケット１０を介して対応する蛍光ランプ５に供給される。
【００１４】
さらに、器具本体４の内面には、取付け穴８を跨ぐようにして、コ字形の把持部１１が設けられている。把持部１１の両端は、器具本体４の内面のうち、取付け穴８よりも外側であって、かつ、内側の蛍光ランプ５よりも内側の領域に固定されている。ここで、把持部１１が器具本体４の中央に設けられている取付け穴８を跨いでいることは、把持部１１が器具本体４の重心と略一致した位置に設けられていることを意味する。尚、この把持部１１もグローブ７によって覆われることは図１から明らかである。
【００１５】
上記構造を有する本例の照明器具１は、従来と同様の方法によって天井２に取り付けられる。すなわち、天井２に設けられたローゼット３に取付け装置１２を介して固定される。具体的には、取付け穴８の縁を取付け装置１２が備える不図示の係止部（係止爪）の下面に当接させた状態で、器具本体４を天井２に向けて押し上げる。すると、各係止爪がバネの付勢に抗して互いに近接する方向に変位し、先端間の距離が取付け穴８の径よりも短くなった時点で、係止爪が取付け穴８の縁を越えて取付け穴８の内側（器具本体４の内面側）に進入する。取付け穴８の縁を越えた係止爪は、バネの付勢によって元の位置に変位（復帰）し、取付け穴８の周囲に係止する。すなわち、取付け穴８は、取付け装置１２（係止爪）が係止・係止解除可能な係止受部として機能する。このようにして、器具本体４を天井２に固定した後、蛍光ランプ５をランプホルダー９にセットし、セットされた蛍光ランプ５を対応するランプソケット１０に接続する。その後、器具本体４にグローブ７を装着し、照明器具１の取付け作業が完了する。もっとも、ランプホルダー９への蛍光ランプ５のセット、セットされた蛍光ランプ５のランプソケット１０への接続は、器具本体４の天井２への取り付け前に行ってもよい。
【００１６】
以上のように、取付け作業の基本手順は、従来と同様である。しかし、本例の照明器具１は、把持部１１を備えているので、該把持部１１を持って上記取付け作業を実施することができる。特に、取付け穴８の縁を取付け装置１２の係止爪に当接させ、器具本体４を天井２に向けて押し上げる作業を、把持部１１を片手で持って実施することができる。よって、取付け作業中に両手が塞がれることがない。また、器具本体４の内面を手の平に載せた状態で作業を行う場合に比べて、器具本体４をしっかりと保持することが可能となり、作業性が向上し、器具本体４を落下させる危険性も極めて低い。さらに、把持部１１が器具本体４の中央に設けられているので、両腕をＹの字に広げて器具本体４の縁を保持する場合よりも該照明器具４を頭上高く持ち上げることができる。よって、より低い足場の上で上記作業を行うことができる。
【００１７】
加えて、把持部１１は、器具本体４（照明器具）を所定の向きで取り付けたい場合に、位置合わせの基準として利用することも可能である。例えば、取付け装置１２の係止爪は、取付け穴８の周縁の任意の位置に係止可能であるが、壁面に対する把持部１１の向きを所望の向きとすることによって、器具本体４（照明器具１）を壁面に対して所望の向きで取り付けることができる。例えば、図３に示すように、照明器具１の縁に９０度間隔で４つのＬＥＤ１３が設けられているような場合、対向する一対のＬＥＤ１３、１３を結ぶ直線と、把持部１１の軸線とを一致させておく。すると、把持部１１の軸線を任意の壁と平行になるように器具本体４を取り付ければ、部屋の４つの壁が直角に交わっている限り、各ＬＥＤ１３を各壁面に正対させることができる。
（実施形態２）
以下、本発明の照明器具の実施形態の他例について図面を参照しながら詳細に説明する。図４は、本例の照明器具２０の構造概略を示す模式的側面図である。本例の照明器具２０の基本構成は、実施形態１の照明器具１と同一である。そこで、共通する構成については同一の符号を用いることで説明を省略し、ここでは、本例の照明器具２０の特徴部分についてのみ説明する。
【００１８】
本例の照明器具２０が実施形態１の照明器具１と異なるのは、把持部の数、位置、サイズ（大きさ）である。具体的には、本例の照明器具２０には、取付け穴８を挟んで対抗する位置に２つの把持部２１が設けられている。そして、各把持部２１の大きさは、実施形態１の把持部１１よりも小さい。
【００１９】
本例の照明器具２０も把持部２１を備えているので、実施形態１の照明器具１を同様の作用効果を有する。もっとも、本例の照明器具２０では、２つの把持部２１が器具本体４の周縁に設けられているので、取付け作業時には両手が塞がれる。しかし、器具本体４の内面を手の平に載せた状態で保持したり、器具本体４の縁を指先で摘んで保持したりする場合に比べて、器具本体４をしっかりと保持することが可能であり、作業性が向上し、器具本体４を落下させる危険性も低いことは自明である。また、両腕をＹの字に広げて２つの把持部２１を保持したとしても、把持部２１は器具本体４の内面から突出しているので、その突出している分だけ足場の高さを低く抑えることが可能であることも自明である。
【００２０】
さらに、把持部を位置合わせの基準として利用する場合には、把持部が１つである実施形態１の照明器具よりも、２つの把持部２１が対向位置に設けられている本例の照明器具２０の方が、位置合わせの利便性や正確性の点では優れている。
【００２１】
本明細書では、弾性付勢された係止爪を備えた取付け装置を介して天井に取り付けられる場合を例にとって本発明の照明器具の実施形態を説明した。しかし、本発明の照明器具を天井に取り付けるための方法は、上記取付け装置を用いる方法に限定されない。如何なる方法によって天井に取り付ける際にも、本発明の照明器具が上記把持部を備えていることによって、その取付け作業の利便性や安全性が向上する。
【図面の簡単な説明】
【００２２】
【図１】本発明の照明器具の実施形態の一例を示す模式的側面図である。
【図２】図１に示す照明器具の模式的平面図である。
【図３】把持部を照明器具の位置合わせ基準として利用する一形態を示す模式的平面図である。
【図４】本発明の照明器具の実施形態の他例を示す模式的側面図である。
【符号の説明】
【００２３】
１、２０  照明器具
２  天井
３  ローゼット
４  器具本体
５  蛍光ランプ
６  反射板
７  グローブ
８  取付け穴
９  ランプホルダー
１０  ランプソケット
１１、２１  把持部
【図１】
2008091087.tif 000003
【図２】
2008091087.tif 000004
【図３】
2008091087.tif 000005
【図４】
2008091087.tif 000006